(57)【要約】【課題】相手端子と端子間及び端子とハウジング間のガタ付きを防止し、且つ、小型化しても安定した所望の接触荷重を得ることができる端子を提供する。【解決手段】ハウジング２の端子収容室２１に収容され、相手端子３が挿入される筒部４１を有する端子本体４と、筒部４１内で弾性変形によって相手端子３に接触される弾性バネ５とを備え、弾性バネ５は、筒部４１に基端部５１が固定され、基端部５１側より折り返されて湾曲部５２が形成されて自由端側に延設され、自由端が、筒部４１の外部に突出され、且つ、端子収容室２１の壁面２４に当接された当接バネ部５３とされた。【選択図】図７
2014232643.tif 000002
【特許請求の範囲】
【請求項１】
ハウジングの端子収容室に収容され、相手端子が挿入される筒部を有する端子本体と、前記筒部内で弾性変形によって前記相手端子に接触される弾性バネとを有する端子であって、
前記弾性バネは、前記筒部に基端部が固定され、前記基端部側より折り返されて湾曲部が形成されて、自由端側に延設され、
自由端が前記筒部の外部に突出され、且つ、前記端子収容室の壁面に当接された当接バネ部とされたことを特徴とする端子。
【請求項２】
請求項１記載の端子であって、
前記弾性バネは、前記端子本体とは別部材より形成されていることを特徴とする端子。
【請求項３】
請求項１又は請求項２記載の端子であって、
前記筒部の前記当接バネ部が突出する側には、前記当接バネ部が前記端子収容室の前記壁面に沿って自由に延びるスペースが設定されていることを特徴とする端子。
【請求項４】
請求項１〜請求項３のいずれか１項に記載の端子であって、
前記弾性バネの前記基端部には、前記当接バネ部に向かって突出し、前記当接バネ部の変位を規制する過剰変形防止壁部が形成され、
前記当接バネ部には、前記基端部から離れる方向に突出し、前記筒部内に挿入される前記相手端子と接触するインデントが形成されていることを特徴とする端子。
【発明の詳細な説明】
【技術分野】
【０００１】
本発明は、相手端子に接触するバネ部材を備えた端子に関する。
【背景技術】
【０００２】
相手端子に接触するバネ部材を備えた端子が従来より種々提案されている。かかる端子の一従来例が図９と図１０（ａ）、（ｂ）に示されている（特許文献１参照）。図９と図１０（ａ）、（ｂ）において、端子１００は、相手端子１１０が挿入される筒部１０１と、この筒部１０１より後方に形成され、電線（図示せず）が接続される電線接続部１０２とを備えており、ハウジング１０５の端子収容室１０６に収容される。筒部１０１の前部には、その自由端が筒部１０１内に位置し、相手端子１１０に弾性変形して接触する弾性接触片１０３が設けられ、筒部１０１の側壁には、この側壁より切り起こされると共に、内側に「く」の字状に折り曲げられて相手端子１１０に弾性変形して接触するバネ部材１０４が設けられている。
【０００３】
上記構成において、相手端子１１０が筒部１０１に前方から挿入されると、筒部１０１前部の弾性接触片１０３及び側壁のバネ部材１０４がそれぞれ相手端子に弾性変形して接触することにより、当該端子１００と相手端子１１０を電気的に接続できる。また、当該端子１００に電線などを介して振動が伝わるとき、弾性接触片１０３及びバネ部材１０４が弾性変形することによって、当該端子１００と相手端子１１０間のガタ付きと当該端子１００とハウジング１０５間のガタ付きを防止できる。
【先行技術文献】
【特許文献】
【０００４】
【特許文献１】特開２０１０−１２３２６４号公報
【発明の概要】
【発明が解決しようとする課題】
【０００５】
ところで、前述した従来技術の端子１００にあっては、バネ部材１０４が筒部１０１の側壁より切り起こされて、且つ、単に「く」の字状の折り曲げ形状であるため、バネ部材１０４の弾性変形域が狭いという問題がある。特に、バネ部材１０４を収容する筒部１０１が小型化すると、バネ部材１０４も短くなり、所望の接触荷重が得られず、バネ部材１０４が塑性変形する恐れが高い。
【０００６】
そこで、本発明は、前記した課題を解決すべくなされたものであり、相手端子と端子間のガタ付きと端子とハウジング間のガタ付きを防止し、しかも、弾性バネを収容する箇所が小型化しても安定した所望の接触荷重を得ることができるコネクタを提供することを目的とする。
【課題を解決するための手段】
【０００７】
本発明は、ハウジングの端子収容室に収容され、相手端子が挿入される筒部を有する端子本体と、前記筒部内で弾性変形によって前記相手端子に接触される弾性バネとを有する端子であって、前記弾性バネは、前記筒部に基端部が固定され、基端側より折り返されて湾曲部が形成されて自由端側に延設され、自由端が前記筒部の外部に突出され、且つ、前記端子収容室の壁面に当接された当接バネ部とされたことを特徴とする端子である。
【０００８】
前記弾性バネは、前記端子本体とは別部材より形成されているものを含む。前記筒部の前記当接バネ部が突出する側には、前記当接バネ部が前記端子収容室の前記壁面に沿って自由に延びるスペースが設定されているものを含む。前記弾性バネの前記基端部には、前記当接バネ部に向かって突出し、前記当接バネ部の変位を規制する過剰変形防止壁部が形成され、前記当接バネ部には、前記基端部から離れる方向に突出し、前記筒部内に挿入される前記相手端子と接触するインデントが形成されているものを含む。
【発明の効果】
【０００９】
本発明によれば、ハウジングの端子収容室に当該端子を収容し、相手端子を端子の筒部内に挿入した際には、相手端子と端子が弾性変形した弾性バネを介して接触し、端子とハウジング間も弾性変形した弾性バネを介して接触するので、相手端子と端子間のガタ付きと端子とハウジング間のガタ付きを防止できる。また、前記弾性バネは、湾曲部を有して弾性変形域が大きく、しかも、基端部と当接バネ部の両端で支持する両持ちバネを形成し、その反力が接触荷重となるので、弾性バネを収容する筒部が小型化しても、弾性バネが塑性変形することなく安定した所望の接触荷重を得ることが可能である。
【図面の簡単な説明】
【００１０】
【図１】本発明の一実施形態を示し、端子及びハウジングの斜視図である。
【図２】本発明の一実施形態を示し、筒部内の構造などを説明する一部破断した斜視図である。
【図３】本発明の一実施形態を示し、（ａ）は弾性バネの斜視図、（ｂ）は弾性バネの側面図である。
【図４】本発明の一実施形態を示し、（ａ）は端子の断面図、（ｂ）はハウジングの断面図である。
【図５】本発明の一実施形態を示し、ハウジング及び端子の断面図である。
【図６】本発明の一実施形態を示し、相手端子を挿入する過程を説明する断面図である。
【図７】本発明の一実施形態を示し、相手端子を挿入した後の断面図である。
【図８】本発明の一実施形態を示し、端子と接続された電線を介して振動が伝わる状態を説明する断面図である。
【図９】一従来例を示し、端子の斜視図である。
【図１０】一従来例を示し、（ａ）は相手端子を挿入する前の断面図、（ｂ）は相手端子を挿入した後の断面図である。
【発明を実施するための形態】
【００１１】
以下、本発明の一実施形態を図面に基づいて説明する。
【００１２】
図１〜図８は本発明の一実施形態を示す。なお、図２は筒部４１内の構造を分かりやすく説明するため筒部４１などの一部を破断した状態で示してある。
【００１３】
端子１は、ハウジング２の端子収容室２１に収容され、相手端子３が挿入される筒部４１を有する端子本体４と、この端子本体４とは別部材より形成され、筒部４１内で弾性変形によって相手端子３に接触される弾性バネ（バネ部材）５とを備えている。
【００１４】
ハウジング２及び筒部４１の各前端には、相手端子３が挿入される端子挿入口２２、４２が形成されている。ハウジング２は、端子収容室２１に突出し、端子収容室２１から退出する方向に弾性変形可能なランス２３を有し、ハウジング２の端子収容室２１に端子１を収容したときに、ランス２３が弾性変形して端子収容室２１から退出し、筒部４１の係止部４３に係止する。
【００１５】
端子本体４の筒部４１には、弾性バネ５と共に、この弾性バネ５を保持する保持部４４が収容されており、筒部４１の後端より電線６と接続される電線接続部４５が延設されている。
【００１６】
弾性バネ５は、筒部４１に基端部５１が固定され、基端部５１側より折り返されて湾曲部５２が形成されて自由端側に延設されている。この延設された自由端が筒部４１の外部に突出され、且つ、端子収容室２１の壁面２４に当接された当接バネ部５３とされている。筒部４１の当接バネ部５３が突出する側には、当接バネ部５３が端子収容室２１の壁面２４に沿って自由に延びるスペースＳが設定されている。
【００１７】
弾性バネ５の基端部５１は、保持部４４を介して筒部４１の一壁面４６に固定される。基端部５１には、当接バネ部５３に向かって切り起こされ、当接バネ部５３の変位を規制する過剰変形防止壁部５４が形成されている。
【００１８】
当接バネ部５３は、両端が端子収容室２１の壁面２４及び筒部４１の一壁面４６で支持されると共に、その中間部分が筒部４１の前記一壁面４６と相対する他の壁面４７に向かって突出する。この当接バネ部５３の中間部分には、基端部５１から離れる方向に突出し、筒部４１内に挿入される相手端子３２と接触するインデント５５が形成されている。
【００１９】
上記構成では、図４（ａ）に示すように、端子本体４の筒部４１内に弾性バネ５を収容して保持部４４で保持することにより、当該端子１を組み立てた後、図４（ｂ）に示すハウジング２の後部開口２５から端子１を挿入し、図５に示すように、ハウジング２の端子収容室２１に端子１を収容する。このとき、端子１を端子収容室２１の前端まで挿入すると、ハウジング２のランス２３が弾性変形して端子収容室２１から退出し、筒部４１の係止部４３に係止すると共に、筒部４１の外部に突出する弾性バネ５の当接バネ部５３が端子収容室２１の壁面２４に当接する。
【００２０】
次いで、図６に示すように、相手端子３をハウジング２及び筒部４１に各前端の端子挿入口２２、４２より、筒部４１の壁面４７及び弾性バネ５の当接バネ部５３間に挿入する。すると、挿入された相手端子３は、相手端子３と端子１が弾性変形した弾性バネ５を介して接触し、端子１とハウジング２間も弾性変形した弾性バネ５を介して接触する。このとき、弾性バネ５の当接バネ部５３では、特にインデント５５が相手端子３２と接触し、弾性バネ５が図７の上方へ付勢されて弾性変形するので、弾性バネ５の当接バネ部５３が端子収容室２１の壁面２４に沿って移動して図７の左方向へ寸法Ｌだけ延びる。
【００２１】
次いで、図８に示すように、電線６より端子１の挿入方向と直交方向へ振動が伝わった場合、上記のように基端部５１と当接バネ部５３の両端で支持する両持ちバネを形成した弾性バネ５の弾性変形により、相手端子３と端子１間のガタ付きと端子１とハウジング５間のガタ付きを防止できる。
【００２２】
以上説明したように、ハウジング２の端子収容室２１に当該端子１を収容し、相手端子３を端子１の筒部４１内に挿入した際には、相手端子３と端子１が弾性変形した弾性バネ５を介して接触し、端子１とハウジング２間も弾性変形した弾性バネ５を介して接触するので、相手端子３と端子１間のガタ付きと端子１とハウジング５間のガタ付きを防止できる。また、弾性バネ５は、湾曲部５２を有して弾性変形域が大きく、しかも、基端部５１と当接バネ部５３の両端で支持する両持ちバネを形成し、その反力が接触荷重となるので、弾性バネ５を収容する筒部４１が小型化しても、弾性バネ５が塑性変形することなく安定した所望の接触荷重を得ることが可能である。
【００２３】
弾性バネ５は、端子本体４と別部材であるため、筒部４１の長さ寸法等の範囲内で所望のバネ定数等を得られる板厚等の部材で形成できる。従って、当該端子１の小型化に対応できる。つまり、従来例では、弾性バネは端子本体の側壁を切り起して形成するため、端子本体の板厚によって弾性バネの板厚が決定され、所望のバネ定数が得られず、端子の小型化に対応できない可能性があるが、本発明では、上記した理由によって対応可能である。
【００２４】
弾性バネ５が両持ちバネを形成する際に、当接バネ部５３側が自由に変位できるため、弾性バネ５の広い弾性変形域を確保できる。
【００２５】
弾性バネ５の当接バネ部５３に形成されるインデント５５が、筒部４１に挿入される相手端子３と強く接触するので、弾性バネ５と相手端子３間でより大きな接触荷重が得られる。
【００２６】
弾性バネ５の基端部５１に形成される過剰変形防止壁部５４が当接バネ部５３の変位を規制するので、当接バネ部５３の過剰な変位を防止できる。
【００２７】
端子１をハウジング５の端子収容室２１に挿入する過程では、端子１がランス２３に千渉しないため、スムーズな端子１の挿入を可能としつつ、端子１を端子収容室２１の挿入完了位置まで挿入すると、ランス２３が筒部４１の係止部４３に係止することにより端子１の引き抜きを防止できる。
【符号の説明】
【００２８】
１  端子
２  ハウジング
３  相手端子
４  端子本体
５  弾性バネ（バネ部材）
２１  端子収容室
２４  壁面
４１  筒部
５１  基端部
５２  湾曲部
５３  当接バネ部
５４  過剰変形防止壁部
５５  インデント
Ｓ  スペース
【図１】
2014232643.tif 000003
【図２】
2014232643.tif 000004
【図３】
2014232643.tif 000005
【図４】
2014232643.tif 000006
【図５】
2014232643.tif 000007
【図６】
2014232643.tif 000008
【図７】
2014232643.tif 000009
【図８】
2014232643.tif 000010
【図９】
2014232643.tif 000011
【図１０】
2014232643.tif 000012